(57)【特許請求の範囲】
【請求項１】
中空部が形成された中空外壁パネルを吊上げて、建物の所定の取付け位置へ搬送する際に使用される吊具であって、
中空外壁パネルの中空部に出入可能であって、吊上げ用ロープを掛着させる掛着部を備えた断面略Ｕ字形の受具と、
該受具が前記中空部に挿入された状態で、前記受具の下端近傍に穿設された挿通孔に着脱自在に挿着されて、中空外壁パネルの下面を支持する中空外壁パネルの厚さより大きい長さ寸法を有する管状の支持具とからなり、
前記支持具は、下方に隣接して施工される中空外壁パネルとの間のクリアランスより小さい高さ寸法を有するとともに、その側面に穿設された孔から出没可能に設けられたボール及び該ボールを前記孔から突出する方向へ付勢する圧縮ばねを備えてなるラッチ具と、側面から突出するストッパとが、前記受具の幅より広い間隔をおいてそれぞれ配設されたものであることを特徴とする中空外壁パネル用吊具。
【発明の詳細な説明】
【０００１】
【発明の属する技術分野】
本発明は、建物の外壁工事において、中空部が形成された中空外壁パネルを吊上げて、所定の取付け位置に搬送するために使用される中空外壁パネル用吊具に関するものである。
【０００２】
【従来の技術】
従来、建物の外壁工事において、中空外壁パネル（以下、単に外壁パネルという）Ｐを吊下げて、所定の取付け位置へ搬送する場合には、図８に示すように、外壁パネルＰを、ナイロンスリングＲ２で巻付けるようにして玉掛けをおこない、この状態で外壁パネルＰを図外のクレーン等で吊下げて搬送して、所定の取付け位置に取付けていた。
【０００３】
また、図７に示すように、吊具１００を使用して、外壁パネルＰを図外のクレーン等で吊上げて搬送して、所定の取付け位置に取付けるようにもしていた。このときの吊具１００は、外壁パネルＰの中空部Ｓに出入可能な本体１０１と、該本体１０１が外壁パネルＰの中空部Ｓに挿入された状態で、外壁パネルＰに係止して、本体１０１を外壁パネルＰに固定することができる係止片１０２と、吊上げ用ロープＲ１を掛止するための掛止部１０３とから構成されている。
【０００４】
吊上げ手順としては、本体１０１に配設された操作片１０４を引き上げて、係止片１０２を本体１０１内に格納し、この状態で吊具１００を、外壁パネルＰに穿設された挿通孔Ｐ１の位置に合わせた後、操作片１０４を引き下げて、係止片１０２を本体１０１から延出させて、外壁パネルＰの挿通孔Ｐ１に係止させて、掛止部１０３に図外の吊下げ用ロープを掛止して、図外のクレーン等で吊下げて搬送して、所定の取付け位置に取付けることとしていた。
【０００５】
【発明が解決しようとする課題】
しかしながら、外壁パネルＰにナイロンスリングＲ２を玉掛けして、吊上げる手段では、外壁パネルＰの重心を失わないように、注意深く玉掛けをおこなわなければならず、玉掛けを怠ると、外壁パネルＰがナイロンスリングＲ２から脱落する恐れがあるという問題点があった。
また、正確に玉掛けがおこなわれていたとしても、強風や突風で、外壁パネルＰが回転して、作業上危険であるという問題点があった。
【０００６】
更に、既に取付けられた別の外壁パネルＰに隣接させて、外壁パネルＰを取付ける場合、ナイロンスリングＲ２を玉掛けした状態のままで、外壁パネルＰに固定すると、ナイロンスリングＲ２を取外すことができないので、外壁パネルＰを、その下端部で仮固定し、やや前傾させた状態で、ナイロンスリングＲ２を取外し、この後外壁パネルＰを本固定するようにしていた。このため、外壁パネルＰの固定が不完全な状態で、ナイロンスリングＲ２を取外すことになるので、この作業の際にも、外壁パネルＰが落下する恐れがあるという問題点があった。
【０００７】
更にまた、前述の吊上げ手段では、ナイロンスリングＲ２の着脱が面倒であると共に、外壁パネルＰを所定の取付け位置に取付ける前に、一旦仮固定して不安定な態勢に支持する必要があり、作業性がよくないという問題点があった。
【０００８】
次に、外壁パネルＰを、吊具１００に係止させて、吊上げる手段では、外壁パネルＰを図外のクレーン等で吊上げて搬送する際に、吊具１００は、外壁パネルＰの上方を係止させて、外壁パネルＰを吊上げているので、強風や突風で、外壁パネルＰの下方が煽られて外壁パネルＰが回転して、作業上危険であるという問題点があった。
また、外壁パネルＰに挿通孔Ｐ１を穿設しなければならないので、外見上好ましくないという問題点があった。
【０００９】
本発明は、上記課題に鑑みてなされたものであり、中空部が形成された中空外壁パネルの吊上げおよび建物への取付けを安全におこなうことができて、かつ作業性を向上させることができる吊具を提供することを目的とする。
【００１０】
【課題を解決するための手段】
前記目的を達成するためになされた本発明の請求項１に記載の中空外壁パネル用吊具は、中空外壁パネルの中空部に出入可能であって、吊上げ用ロープを掛着させる掛着部を備えた断面略Ｕ字形の受具と、該受具が前記中空部に挿入された状態で、前記受具の下端近傍に穿設された挿通孔に着脱自在に挿着されて、中空外壁パネルの下面を支持する中空外壁パネルの厚さより大きい長さ寸法を有する管状の支持具とからなり、前記支持具は、下方に隣接して施工される中空外壁パネルとの間のクリアランスより小さい高さ寸法を有するとともに、その側面に穿設された孔から出没可能に設けられたボール及び該ボールを前記孔から突出する方向へ付勢する圧縮ばねを備えてなるラッチ具と、側面から突出するストッパとが、前記受具の幅より広い間隔をおいてそれぞれ配設されたものであることを特徴とするものである。
【００１１】
【発明の実施の形態】
以下、本発明の実施の形態について図面に基づいて説明する。本実施の形態に係る中空外壁パネル用吊具（以下、単に吊具という）１０は、図１に示すように、中空部Ｓが形成された中空外壁パネル（以下、単に外壁パネルという）Ｐを吊上げて、建物の所定の取付け位置へ搬送する際に使用される吊具であって、外壁パネルＰの中空部Ｓの出入可能であって、吊上げ用ロープＲ1を掛着させる掛着部２０を備えた断面略Ｕ字形の受具３０と、該受具３０が前記中空部Ｓに挿入された状態で、前記受具の下端近傍に穿設された挿通孔３１に着脱自在に挿着されて、中空外壁パネルの下面を支持する中空外壁パネルＰの厚さより大きい長さ寸法を有する管状の支持具４０とからなるものである。以下、更に詳細に説明する。
【００１２】
なお、本実施の形態に係る外壁パネルＰは、押出し成形セメント板よりなり、長手方向、すなわち取付け状態における上下方向に沿って延びて外壁パネルＰを貫通する複数の中空部Ｓが、外壁パネルＰの幅方向に所定の間隔をおいて並列するようにして形成されている。
また、本実施の形態に係る吊上げ用ロープＲ1とは、建築部材の揚重に使用可能なロープ類を意味し、ワイヤーロープ、ナイロンスリング等がいずれも包含されるものとする。
【００１３】
前記掛着部２０は、図２に示すように、その長さが前記受具３０の側板３２間の内法寸法より短い丸鋼であって、吊上げ用ロープＲ1を掛着させるために、前記各側板３２の内側面に、その両端を溶接接合させることによって受具２０に具備されている。
【００１４】
前記受具３０は、図２に示すように、鋼板を断面略Ｕ字形に折曲させて形成させたものであって、外壁パネルＰの中空部Ｓに出入可能なものとなっている。本実施の形態において、前記中空部Ｓは、略四角形の横断面形状を有しており、受具３０の寸法は、中空部Ｓの横断面に内包される寸法となっている。
【００１５】
また、受具３０の各側板３２の下端には、挿通孔３１が穿設されている。該挿通孔３１は、受具３０が外壁パネルＰの中空部Ｓに挿入された状態で、前記支持具４０を、挿通孔３１に挿通させて、外壁パネルＰを支持具４０上に支持させるためのものである。
【００１６】
前記支持具４０は、図３に示すように、その横断面が受具３０の挿通孔３１よりわずかに小さい寸法であり、その長さＬが外壁パネルＰの厚さＴより長い細長い角管であって、前記挿通孔３１に挿通することにより、前記受具３０に挿着されて、外壁パネルＰをその上面で支持するためのものである。
【００１７】
このとき、支持具４０の高さＨは、施工時の上下位置に取付けられる外壁パネルＰ間のクリアランスＣを考慮して設定されるものであり、施工後の取外しが容易なように、該クリアランスＣより小さい寸法となっている。
【００１８】
そして、支持具４０の横側面には、図２に示すように、支持具４０が受具３０の挿通孔３１に挿通された状態で、支持具４０から脱落しないようにするために、ストッパ５０とラッチ具５１とからなるロック手段５２が配設されている。前記ストッパ５０は、短尺の丸鋼であり、その両端が、支持具４０の横側面から突出するように、支持具４０に貫通されて配設されている。
【００１９】
また、前記ラッチ具５１は、図４に示すように、一対のボール５３と圧縮ばね５４とから構成されて、支持具４０の側面に穿設した孔４１からボール５３が突出するように、支持具４０を、その短軸方向に孔４１をあけ、この孔４１に圧縮ばね５４がボール５３を外側へ付勢するようにして、圧縮ばね５４及びボール５３を入れる。そして、支持具４０の孔４１の外縁を図外のたがね等を用いてかしめてボール５３が外側に脱落しないようにする。ストッパ５０とラッチ具５１との間隔は、受具３０の幅よりも大きい寸法を有していれば特に限定されないが、受具３０の幅よりも１０ｍｍ乃至１５ｍｍ程度の余裕を持たせて設定することが望ましい。
【００２０】
なお、本実施の形態では、ラッチ具５１のボール５３の形状を球形としたが、これに限定されるものではなく、ボール５３が支持具４０の孔４１から脱落しないようにすることができればよい。
【００２１】
支持具４０の挿脱は、以下の手順でおこなわれる。まず、支持具４０を把持して、受具３０の挿通孔３１に挿通するようにすると、挿通孔３１の側縁に、ラッチ具５１の各ボール５３がそれぞれ押圧されて、互いに接近するように内側へ移動し、ボール５３の頂部が、支持具４０の側面と略面一となると、支持具４０が受具３０の挿通孔３１内を自在に移動し得る状態となる。そして、受具３０の挿通孔３１の側縁による押圧が解除されると、各ボール５３がそれぞれコイルばね５４に付勢されて、互いに離間するように外側へ移動し、ボール５３の頂部が、支持具４０の側面から突出するようになる。このようにして、支持具４０は、受具３０の挿通孔３１に沿って自在に移動することができると共に、ロック手段５２により、受具３０に挿着された状態で外れないようになっている。
【００２２】
なお、本実施の形態では、ロック手段５２は、ストッパ５０とラッチ具５１とから構成されているが、これに限定されるものではなく、またロック手段５２を支持具４０ではなく受具３０に配設してもよく、支持具４０が、受具３０への挿脱が容易であると共に、受具３０に挿着後は容易に受具３０から脱落しないものであれば、特に限定されない。
【００２３】
また、図５に示すように、図外のクレーン等で外壁パネルＰを吊上げる際に、吊上げ用ロープＲ１と外壁パネルＰの中空部Ｓの端縁が擦れ合って、吊上げ用ロープＲ１と外壁パネルＰに中空部Ｓの端縁がそれぞれ摩損することを防ぐために、外壁パネルＰの上面に保護具６０が配設される。
【００２４】
該保護具６０は、外壁パネルＰの中空部Ｓに出入可能とする管体６１と、該管体６１の一方の端縁を外側に折曲させて形成し、管体６１が外壁パネルＰの中空部Ｓに挿入された状態で、外壁パネルＰの上面に係止されて、管体６１を外壁パネルＰに係止させる係止片６２とからなる。このとき、管体６１の口径を、受具３０の幅よりも小さい寸法にしておくと、吊上げ用ロープＲ１を引き上げるときに、受具３０の上面に保護具６０の下端部が支持されるので、受具３０と同時に外壁パネルＰから取外すことができる。
【００２５】
次に、本実施の形態に係る吊具１０を使用した、外壁パネルＰの吊上げ手順について説明する。
まず、図１に示すように、吊上げ用ロープＲ１を図外のシャックル等により受具３０の掛着部２０に掛着させて、この状態で、受具３０を外壁パネルＰの中空部Ｓに上方から挿入し、中空部Ｓ内を貫通させる。また、図５に示すように、保護具６０の係止片６２を上側にして、保護具６０の管体６１内に吊上げ用ロープＲ１を挿通させた状態で、保護具６０を外壁パネルＰの中空部Ｓに上方から挿入し、外壁パネルＰの上面に係止させる。
【００２６】
次に、外壁パネルＰを取付けたときに、ストッパ５０が屋外側、ラッチ具５１が屋内側となるように、支持具４０を受具３０の挿通孔３１に挿通して、ある程度吊上げ用ロープＲ１を引張り、外壁パネルＰの重心を失わないように吊上げ用ロープＲ１の玉掛けをおこなう。
【００２７】
そして、図６に示すように、吊上げ用ロープＲ１を図外のクレーン等で吊上げることにより、外壁パネルＰを吊上げて、所定の位置に搬送し取付け固定する。このとき、保護具６０が、外壁パネルＰの上面に係止されているので、吊上げ作業にって、外壁パネルＰおよび吊上げ用ロープＲ１が摩損することを防ぐことができる。また、支持具４０の高さＨを、上下位置に取付けられる外壁パネルＰ間のクリアランスＣより小さい寸法としているので、仮固定することなく、吊具１０を外壁パネルＰに挿着させた状態で外壁パネルＰを取付け（本固定）することができる。
【００２８】
外壁パネルＰを取付け固定後、支持具４０を把持して受具３０の挿通孔３１から引抜いてから、吊上げ用ロープＲ１を外壁パネルＰの上方から引張って、受具３０を取り出す。このとき、前述のように、保護具６０の本体の長さを、受具３０の長さよりも短くしておくと、吊上げ用ロープＲ１を引張ることにより、受具３０と同時に保護具６０を取り出すことができる。
【００２９】
【発明の効果】
以上説明したように、本発明の請求項１に記載の中空外壁パネル用吊具は、中空外壁パネルの中空部に出入可能であって、吊上げ用ロープを掛着させる掛着部を備えた断面略Ｕ字形の受具と、該受具が前記中空部に挿入された状態で、前記受具の下端近傍に穿設された挿通孔に着脱自在に挿着されて、中空外壁パネルの下面を支持する中空外壁パネルの厚さより大きい長さ寸法を有する管状の支持具とからなり、前記支持具は、下方に隣接して施工される中空外壁パネルとの間のクリアランスより小さい高さ寸法を有するとともに、その側面に穿設された孔から出没可能に設けられたボール及び該ボールを前記孔から突出する方向へ付勢する圧縮ばねを備えてなるラッチ具と、側面から突出するストッパとが、前記受具の幅より広い間隔をおいてそれぞれ配設されたものであるので、受具を中空外壁パネルの中空部に挿入し、支持具を前記挿通孔に挿通することにより、受具に挿着させると共に、前記掛着部に吊上げ用ロープを掛着させることにより、吊上げ用ロープを外壁パネルに容易かつ確実に玉掛けすることができるという利点がある。そして、中空外壁パネル用吊具により、中空外壁パネルを確実に保持した状態で吊上げることができるので、中空外壁パネルが脱落する事態を生じ難くすることができるという利点がある。
【００３０】
また、中空外壁パネル用吊具を取付けた状態のままで中空外壁パネルの取付け（本固定）を完了しても、この後で中空外壁パネル用吊具を容易に取外すことができるので、中空外壁パネルの落下の危険性を大幅に少なくすることができるという利点がある。
【００３１】
更に、前述のように、中空外壁パネル用吊具を、中空外壁パネルに取付けた状態のままで中空外壁パネルを取付け位置に直接本固定することができるので、従来のように、中空外壁パネルを取付け前に、一旦仮固定することが不要であり、このため、中空外壁パネルの取付けを大幅に簡易化することができ、作業性を向上させることができるという利点がある。
【００３２】
更にまた、中空外壁パネルの吊上げの際に、中空外壁パネルの配置状態の如何を問わずに、中空外壁パネル用吊具を取付けることができるので、この点においても作業性を向上させることができるという利点がある。
【００３３】
すなわち、本発明の中空外壁パネル用吊具によれば、中空外壁パネルの吊上げおよび建物への取付けを安全におこなうことができて、かつ作業性の向上させることができるという利点がある。
【図面の簡単な説明】
【図１】本発明の実施の形態に係る中空外壁パネル用吊具を示す斜視図である。
【図２】受具および支持具を示す斜視図である。
【図３】本発明の実施の一形態を示す断面図である。
【図４】ロック手段の一例を示す断面図である。
【図５】保護具を示す斜視図である。
【図６】本発明の実施の一形態を示す斜視図である。
【図７】従来の中空外壁パネルの吊上げ手段の一例を示す斜視図である。
【図８】従来の中空外壁パネルの吊上げ手段の一例を示す斜視図である。
【符号の説明】
１０  中空外壁パネル用吊具
２０  掛着部
３０  受具
３１  挿通孔
４０  支持具
Ｐ  中空外壁パネル
Ｓ  中空部
Ｒ１  吊上げ用ロープ
【図１】
0003816358.tif 000002
【図２】
0003816358.tif 000003
【図３】
0003816358.tif 000004
【図４】
0003816358.tif 000005
【図５】
0003816358.tif 000006
【図６】
0003816358.tif 000007
【図７】
0003816358.tif 000008
【図８】
0003816358.tif 000009